(57)【要約】【課題】手や肩にかかる負担を軽減することのできる物袋保持用肩掛け紐であって、コンパクトに折り畳むことができると共に、買い物袋を収納することができ、携帯に適したものを提供することを目的とする。【解決手段】買い物袋４を保持するための帯状の肩掛け紐１は、使用者の肩の上に支持され、買い物袋４が懸吊される帯状の支持紐２と、中空の略筒型形状からなり、使用者の肩に当接すると共に、中空部に支持紐２が挿通される肩当体３とからなる。支持紐２は、両端部に、買い物袋４の把持部４１を掛止するためのフック２２を有し、肩当体３は、買い物袋４を収納するための収納部を有している。【選択図】図３
0003179312.tif 000002
【実用新案登録請求の範囲】
【請求項１】
買い物袋を保持するための帯状の肩掛け紐であって、
使用者の肩の上に支持され、上記買い物袋が懸吊される帯状の支持紐と、
中空の略筒型形状からなり、上記使用者の肩に当接すると共に、中空部に上記支持紐が挿通される肩当体と、からなり、
上記支持紐は、両端部に、上記買い物袋の把持部を掛止するための掛止部、を有し、
上記肩当体は、上記買い物袋を収納するための収納部、を有する、
ことを特徴とする買い物袋の保持用肩掛け紐。
【請求項２】
上記肩当体は、略長方形状の部材の一対の側端部に設けられた接着部同士を着脱可能に接着させることによって、上記中空の略筒型形状を構成する、
請求項１記載の買い物袋の保持用肩掛け紐。
【請求項３】
上記接着部は、面ファスナによって構成される、
請求項２記載の買い物袋の保持用肩掛け紐。
【請求項４】
上記肩当体の中空部内には、開口部近傍に、上記支持紐が通される環状片、が設けられている、
請求項１乃至３いずれかの項に記載の買い物袋の保持用肩掛け紐。
【請求項５】
上記収納部は、一端が開口した袋状に構成され、上記中空部内において、上記肩当体の開口部と直交する向きに開口部を向けて設けられている、
請求項１乃至４いずれかの項に記載の買い物袋の保持用肩掛け紐。
【請求項６】
買い物袋を保持するための帯状の肩掛け紐であって、
使用者の肩の上に支持され、上記買い物袋が懸吊される帯状の支持紐と、
略長方形の部材の側端部同士を面ファスナで着脱可能に接着させることによって中空の略筒型形状に構成され、上記使用者の肩に当接すると共に、上記支持紐が挿通される肩当体と、からなり、
上記支持紐は、
両端部に、上記買い物袋の把持部を掛止するための掛止部、を有し、
上記肩当体は、
上記中空部内の開口部近傍に設けられた、上記支持紐が通される環状片と、
一端が開口した袋状に構成され、上記中空部内において、上記肩当体の両端開口部と直交する向きに開口部を向けて設けられた、上記買い物袋を収納するための収納部と、を有する、
ことを特徴とする買い物袋の保持用肩掛け紐。
【考案の詳細な説明】
【技術分野】
【０００１】
本考案は、買い物袋を手軽に持ち運ぶための肩掛け紐に関する。
【背景技術】
【０００２】
買い物後に重くなった買い物袋は、力の弱い女性や老人等にとっては持ち運びが大変である。特に、予期せず多くの買い物をしてしまった場合などでは、キャリアやカートといった運搬用補助具などを準備しておらず、持ち運びに困ることがある。
【０００３】
また、買い物袋として利用されるビニール袋は、購入した商品等を入れて重くなった状態で持つと、把持した手に食い込んだり、手首を痛めたりすることもある。
【０００４】
この点、特許文献１では、折り返されてなる肩当部を介して下方にその各開放端部を位置させた略Ｕ字形を呈する片側支持部と、該片側支持部の一方の前記開放端部に一方の端部を、他方の前記開放端部に他方の端部をそれぞれ連結することで折り返し側に把手部を設けた手側支持部と、該手側支持部にあって前記把手部と前記端部との間にそれぞれをその遊動を自在に格別に保持させた一対のフック材とで形成した手荷物携帯補助具が提案されている。
【先行技術文献】
【特許文献】
【０００５】
【特許文献１】特開平８−１９６３２６号公報
【考案の概要】
【考案が解決しようとする課題】
【０００６】
上記特許文献１記載の手荷物携帯補助具によれば、手荷物を手や肩で直に持つ必要がなく、重い手荷物であっても持ち運びやすい。
【０００７】
しかしながら、この手荷物携帯補助具はかさばりやすいうえに、折り畳んだ状態に保持する構造がないために、折り畳んでも広がりやすく、携帯するのに適さない。また、使用者が買い物袋を持参する場合に、買い物袋は別途所持する必要があるため、この点でも不便である。
【０００８】
そこで、本発明は、手や肩にかかる負担を軽減することのできる物袋保持用肩掛け紐であって、コンパクトに折り畳むことができると共に、買い物袋を収納することができ、携帯に適したものを提供することを目的とする。
【課題を解決するための手段】
【０００９】
上記目的を達成するため、本考案に係る買い物袋の保持用肩掛け紐は、買い物袋を保持するための帯状の肩掛け紐であって、使用者の肩の上に支持され、上記買い物袋が懸吊される帯状の支持紐と、中空の略筒型形状からなり、上記使用者の肩に当接すると共に、中空部に上記支持紐が挿通される肩当体と、からなり、上記支持紐は、両端部に、上記買い物袋の把持部を掛止するための掛止部、を有し、上記肩当体は、上記買い物袋を収納するための収納部、を有することを特徴とする。
【００１０】
また、上記肩当体は、略長方形状の部材の一対の側端部に設けられた接着部同士を着脱可能に接着させることによって、上記中空の略筒型形状を構成するものとしてもよい。
【００１１】
また、上記接着部は、面ファスナによって構成されるものとしてもよい。
【００１２】
また、上記肩当体の中空部内には、開口部近傍に、上記支持紐が通される環状片、が設けられているものとしてもよい。
【００１３】
また、上記収納部は、一端が開口した袋状に構成され、上記中空部内において、上記肩当体の開口部と直交する向きに開口部を向けて設けられているものとしてもよい。
【００１４】
また、買い物袋を保持するための帯状の肩掛け紐であって、使用者の肩の上に支持され、上記買い物袋が懸吊される帯状の支持紐と、略長方形の部材の側端部同士を面ファスナで着脱可能に接着させることによって中空の略筒型形状に構成され、上記使用者の肩に当接すると共に、上記支持紐が挿通される肩当体と、からなり、上記支持紐は、両端部に、上記買い物袋の把持部を掛止するための掛止部、を有し、上記肩当体は、上記中空部内の開口部近傍に設けられた、上記支持紐が通される環状片と、一端が開口した袋状に構成され、上記中空部内において、上記肩当体の両端開口部と直交する向きに開口部を向けて設けられた、上記買い物袋を収納するための収納部と、を有することを特徴とするものとしてもよい。
【考案の効果】
【００１５】
本考案によれば、重い買い物袋であっても、手や肩に過度の負担をかけることなく持ち運ぶことができる。また、コンパクトに折り畳むことができると共に、買い物袋を収納することができ、携帯に適している。
【図面の簡単な説明】
【００１６】
【図１】本考案の実施形態に係る肩掛け紐の表側を示す平面図である。
【図２】本実施形態に係る肩掛け紐の裏側を示す平面図である。
【図３】本実施形態に係る肩掛け紐の使用時の形態を示す斜視図である。
【図４】本実施形態に係る肩掛け紐の携帯時の形態を示す平面図である。
【図５】本実施形態に係る肩掛け紐の使用状態を示す図である。
【図６】本実施形態に係る肩掛け紐の使用状態を示す図である。
【考案を実施するための形態】
【００１７】
以下、本考案の実施形態に係る肩掛け紐について、図を参照して説明する。
図１及び図２に示されるように、本実施形態に係る肩掛け紐１は、支持紐２と、肩当体３とから構成される。
【００１８】
支持紐２は、使用者の肩の上に支持され、買い物袋が懸吊される帯状の紐である。
この支持紐２は、帯紐状の本体２１と、本体２１の両端部に取り付けられた一対のフック２２とからなる。
本体２１は、布、皮革、化学繊維など、可撓性を有する各種の素材でできており、懸吊される買い物袋の重みに耐えるだけの強度を有する。
【００１９】
フック２２は、買い物袋の把持部が掛止される金具であって、本体２１に連結される連結環２２ａ、買い物袋の把持部が掛止される略Ｕ字状の掛止部２２ｂ、掛止部２２ｂに買い物袋の把持部を掛止させるたに開口した開口部２２ｃ、開口部２２ｃを開閉自在に塞ぎ、掛止部２２ｂに掛止された買い物袋が外れるのを防ぐ外れ防止金具２２ｄからなる。
なお、外れ防止金具２２ｄは、図示しないバネの力によって内側から外側へ付勢されると共に、外側への付勢力を受けて掛止部２２ｂに当接することによって開口部２２ｃを閉塞し、掛止部２２ｂに掛止された買い物袋が外れるのを防ぐ。
【００２０】
買い物袋をフック２２に掛止させる際には、外れ防止金具２２ｄを内側に押し込んで、塞がれているフック２２の開口部２２ｃを開口させ、この開口部２２ｃから買い物袋の把持部を入れて掛止部２２ｂに掛止させる。
【００２１】
肩当体３は、支持紐２が挿通されると共に、使用者の肩に当接する部材であり、肩掛け紐１の使用時に、買い物袋の重みによって使用者の肩に支持紐２が食い込むのを防ぐクッションあるいはパッドの役割を果たす。
この肩当体３は、略長方形状の布体であり、互いと接着する一対の面ファスナ３１、３２、支持紐２が挿通される環状片３３、買い物袋を収納するための収納部３４を備えている。
なお、この肩当体３は、支持紐２同様、布のほか、皮革、化学繊維など、各種の素材で構成することができる。また、適宜の厚みを設けることにより、クッションあるいはパッドとしての役割を高めてもよい。
【００２２】
面ファスナ３１、３２は、互いに向き合う一対の側端部において、一方側の側端部の表面と、他方側の側端部の裏面に夫々設けられている。
肩当体３を丸めるようにして折り畳み、面ファスナ３１、３２同士を接着させることで、肩当体３は、図３に示されるように、両端が開口した中空部３５が形成された扁平な略筒型形状になる。この中空部３５には支持紐２が挿通される。
【００２３】
環状片３３は、肩当体３の内側（裏面）であって、面ファスナ３１、３２同士を接着させた際、支持紐２が肩当体３から延び出る開口部近傍に設けられている。
【００２４】
収納部３４は、肩当体３の内側（裏面）に設けられており、折り畳んだ買い物袋を入れて収納することができる。
この収納部３４は、一端が開口した袋状に構成されている。ここで、収納部３３の開口部は、肩当体３を丸めるように折り畳んで面ファスナ３１、３２同士を接着させた際の両端開口部、即ち支持紐２が延び出る方向と直交する向きに設けられている。これにより、面ファスナ３１、３２同士を接着させた状態では、収納部３４の開口部から買い物袋が抜け出てしまわないようになっている。
【００２５】
以上の構成からなる肩掛け紐１は、使用しないとき、あるいは携行時には、図４に示されるように、支持紐２の一端側を、フック２２が環状片３３近傍に来るまで肩当体３の内部に引き込むと共に、支持紐２の他端側を環状片３３の部分で折り返し、面ファスナ３１、３２同士を接着させる。これにより、支持紐２の本体２１が肩当体３の内部に収納されると共に、一対のフック２２が一端側にまとめられ、コンパクトな状態となる。また、買い物袋を収納部３４に収納しておくことで、肩掛け紐１と買い物袋をまとめることができ、便利である。
【００２６】
一方、図４に示される状態から、肩掛け紐１を使用する際には、一旦、面ファスナ３１、３２の接着を解除して支持紐２を広げ、再度、面ファスナ３１、３２同士を接着させる。この際、収納部３４に買い物袋を収納している場合には、収納部３４から買い物袋を取り出す。
【００２７】
そして、図５に示されるように、買い物袋４の一対の把持部４１を夫々、一端側のフック２２と他端側のフック２２に掛止させ、使用者は肩当体３を自らの肩に当てて支持紐２を肩にかける。
これにより、使用者は買い物袋４を直接、手に持ったり方にかけたりすることなく、肩当体３を介して買い物袋４を担ぐことができ、その結果、買い物袋４が手や方に食い込んだりすることなく、使用者は楽に買い物袋４を持ち運ぶことができる。
【００２８】
なお、肩掛け紐１を使用する場合、図６に示されるように、二つの買い物袋４を夫々、一端側のフック２２と他端側のフック２２に掛止させることもでき、これにより、二つの買い物袋４を同時に持ち運ぶこともできる。
【００２９】
なお、以上の本実施形態において、肩当体３は、面ファスナ３１、３２により接着するものとしたが、これに限らず、互いと係合する雌雄のボタンなどによって構成することもできる。
【符号の説明】
【００３０】
１          肩掛け紐
２          支持紐
２１        本体
２２        フック
２２ａ      連結環
２２ｂ      掛止部
２２ｃ      開口部
２２ｄ      外れ防止金具
３          肩当体
３１        面ファスナ
３２        面ファスナ
３３        環状片
３４        収納部
３５        中空部
４          買い物袋
４１        把持部
【図１】
0003179312.tif 000003
【図２】
0003179312.tif 000004
【図３】
0003179312.tif 000005
【図４】
0003179312.tif 000006
【図５】
0003179312.tif 000007
【図６】
0003179312.tif 000008